(57)【要約】      （修正有）【課題】著作物の利用許諾の申請を抑制的にする著作物利用許諾申請装置及び方法を提供する。【解決手段】著作物利用許諾申請システム１１０において、検索部１１１は、著作物データベース２０４ｄに記憶されている著作物情報に対して検索を実行する。著作物選択部１１２は、検索結果から利用許諾申請の対象の著作物を選択する。必須ファイル特定部１１３は、アクセス可能な記憶装置１１３ａに記憶されているファイルを必須ファイルとして特定する。申請受付制御部１１４は、必須ファイルが特定されていない場合には申請を受け付けないように申請受付部１１５を制御する。申請受付部１１５は、申請を受け付け、申請内容レコードをデータベース２０４ｃに保持する。【選択図】図１１
2019185106.tif 000002
【特許請求の範囲】
【請求項１】
著作物データベースに記憶されている著作物情報に対して検索を実行する著作物情報検索手段と、
検索結果から利用許諾申請の対象の著作物を選択する申請対象選択手段と、
上記申請対象選択手段によって選択された著作物に関する利用許諾の申請を実行する申請手段と、
上記申請に関連して、記憶装置に記憶されているファイルのファイル名からなる必須ファイル特定情報を入力する必須ファイル特定情報入力手段と、
上記必須ファイル特定情報が特定されていない場合、利用許諾の申請を受け付けない制御手段とを有することを特徴とする著作物利用許諾申請装置。
【請求項２】
上記必須ファイル特定情報は、選択された著作物の利用に関する著者許諾を表示するファイルのファイル名および／または選択された著作物の利用態様を表示するファイルのファイル名である請求項１記載の著作物利用許諾申請装置。
【請求項３】
必須ファイル特定情報入力手段は、ＩＮＰＵＴタブにｎａｍｅのタイプの属性を付加して実現される請求項１または２記載の著作物利用許諾申請装置。
【請求項４】
クライアント装置の通信ネットワークを介して接続された著作物利用許諾申請用サーバ装置において、
上記クライアント装置からの検索要求に基づいて著作物情報に対する検索を実行して検索結果を上記クライアント装置に返す検索手段と、
上記検索結果に応じて選択された著作物に関する利用許諾の申請を上記クライアント装置から受け付ける利用許諾申請受付手段と、
上記利用許諾に申請に関連して、上記クライアント装置においてアクセス可能な記憶装置に記憶されているファイルのファイル名からなる必須ファイル特定情報を受け付けていない場合、利用許諾の申請を受け付けない制御手段とを有することを特徴とする著作物利用許諾申請用サーバ装置。
【請求項５】
クライアント装置の通信ネットワークを介して接続された著作物利用許諾申請用サーバ装置において実行される著作物利用許諾申請管理方法において、
検索手段が、上記クライアント装置からの検索要求に基づいて著作物情報に対する検索を実行して検索結果を上記クライアント装置に返す検索ステップと、
利用許諾申請受付手段が、上記検索結果に応じて選択された著作物に関する利用許諾の申請を上記クライアント装置から受け付ける利用許諾申請受付ステップと、
制御手段が、上記利用許諾に申請に関連して、上記クライアント装置においてアクセス可能な記憶装置に記憶されているファイルのファイル名からなる必須ファイル特定情報を受け付けていない場合、利用許諾の申請を受け付けない制御ステップとを有することを特徴とする著作物利用許諾申請管理方法。
【請求項６】
クライアント装置の通信ネットワークを介して接続された著作物利用許諾申請用サーバコンピュータを、
上記クライアント装置からの検索要求に基づいて著作物情報に対する検索を実行して検索結果を上記クライアント装置に返す検索手段、
上記検索結果に応じて選択された著作物に関する利用許諾の申請を上記クライアント装置から受け付ける利用許諾申請受付手段、
上記利用許諾に申請に関連して、上記クライアント装置においてアクセス可能な記憶装置に記憶されているファイルのファイル名からなる必須ファイル特定情報を受け付けていない場合、利用許諾の申請を受け付けない制御手段
として機能させるための著作物利用許諾申請用コンピュータプログラム。
【請求項７】
利用許諾申請の対象の著作物を特定する申請対象特定手段と、
上記申請対象特定手段によって特定された著作物に関する利用許諾の申請を実行する申請手段と、
上記申請に関連して、記憶装置に記憶されているファイルのファイル名からなる必須ファイル特定情報を入力する必須ファイル特定情報入力手段と、
上記必須ファイル特定情報が特定されていない場合、利用許諾の申請を受け付けない制御手段とを有することを特徴とする著作物利用許諾申請装置。
【発明の詳細な説明】
【技術分野】
【０００１】
この発明は、論文や書籍等の著作物の利用許諾の申請を管理する技術に関する。
【背景技術】
【０００２】
医療関係の論文や書籍の一部をウェブに掲載し、イントラネットに掲載し、メールで配布し、プレゼンテーション資料に利用したりする際には、著作権法等の法令や、慣習に即した、ライセンス（利用許諾）を取得する必要がある。とくに医療関係の論文や書籍を利用する場合では、著作権ライセンスとは別に、著者の許諾を得ることが慣習となっている。
【０００３】
また、医療関係の論文や書籍についてはデータベース検索を利用した流通基盤があり、本出願人は、医薬品、医療機器、医療関連の論文、医学書、医療関連ニュース等のデータベース検索サービスを提供している。
【０００４】
このような情報化が進んだ環境下において、慣行にのっとって、著者の許諾を得る等のサービスを提供する場合、抑制的な利用許諾申請を実現することが、重要である。情報化が進んだ近年の環境下では、情報の取得が容易であり、また、その頒布も容易であることから、不必要に著作物の利用許諾の申請を行いがちであり、不確実な申請のもとで、不必要に著者等から許諾を得る等の作業が行われ、生産性が損なわれるからである。
【０００５】
著作権法上に規制に加えて、慣行上著者の許諾が別途必要とされている医療関係の論文や書籍については、安易な利用許諾申請を抑制することが望まれる。
【０００６】
コンテンツの流通に関しては特開２０１３−０２５４９４号等に記載がある。この先行技術文献は、ユーザごとに電子コンテンツ陳列棚を準備して借用・購入申請を行うことを開示している。
【０００７】
なお、上述の従来技術やその問題点は、この発明の背景の一部を説明するためにのみ説明している。この発明は特許請求の範囲に記載されるとおりであり、上述の従来技術や問題点に限定されるものではない点に留意されたい。
【先行技術文献】
【特許文献】
【０００８】
【特許文献１】特開２０１３−０２５４９４号公報
【発明の開示】
【発明が解決しようとする課題】
【０００９】
この発明は、以上の事情を考慮してなされたものであり、著作物の利用許諾の申請を抑制的にする著作物利用許諾申請技術を提供することを目的としている。
【課題を解決するための手段】
【００１０】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【００１１】
すなわち、この発明の一側面によれば、上述の目的を達成するために、著作物利用許諾申請装置に：著作物データベースに記憶されている著作物情報に対して検索を実行する著作物情報検索手段と；検索結果から利用許諾申請の対象の著作物を選択する申請対象選択手段と；上記申請対象選択手段によって選択された著作物に関する利用許諾の申請を実行する申請手段と；上記申請に関連して、記憶装置に記憶されているファイルのファイル名からなる必須ファイル特定情報を入力する必須ファイル特定情報入力手段と；上記必須ファイル特定情報が入力されていない場合、利用許諾の申請を受け付けない制御手段とを設けるようにしている。
【００１２】
この構成によれば、記憶装置に記憶されているファイルのファイル名を申請の必須情報としているので、当該ファイルを予め記憶装置に準備しておく必要があり、この結果、著作物の利用許諾の申請を抑制的にすることができる。
【００１３】
この構成において、上記必須ファイル特定情報は、選択された著作物の利用に関する著者許諾を表示するファイルのファイル名および／または選択された著作物の利用態様を表示するファイルのファイル名であって良い。
【００１４】
必須ファイル特定情報入力手段は、ＩＮＰＵＴタブにｎａｍｅのタイプの属性を付加して実現されて良い。
【００１５】
また、この発明の他の側面によれば、クライアント装置の通信ネットワークを介して接続された著作物利用許諾申請用サーバ装置に：上記クライアント装置からの検索要求に基づいて著作物情報に対する検索を実行して検索結果を上記クライアント装置に返す検索手段と；上記検索結果に応じて選択された著作物に関する利用許諾の申請を上記クライアント装置から受け付ける利用許諾申請受付手段と；上記利用許諾に申請に関連して、上記クライアント装置によってアクセス可能な記憶装置に記憶されているファイルのファイル名からなる必須ファイル特定情報を受け付けていない場合、利用許諾の申請を受け付けない制御手段とを設けるようにしている。
【００１６】
また、この発明の他の側面によれば、クライアント装置の通信ネットワークを介して接続された著作物利用許諾申請用サーバ装置において実行される著作物利用許諾申請管理方法において：検索手段が、上記クライアント装置からの検索要求に基づいて著作物情報に対する検索を実行して検索結果を上記クライアント装置に返す検索ステップと；利用許諾申請受付手段が、上記検索結果に応じて選択された著作物に関する利用許諾の申請を上記クライアント装置から受け付ける利用許諾申請受付ステップと；制御手段が、上記利用許諾に申請に関連して、上記クライアント装置によってアクセス可能な記憶装置に記憶されているファイルのファイル名からなる必須ファイル特定情報を受け付けていない場合、利用許諾の申請を受け付けない制御ステップとを有するようにしている。
【００１７】
この構成においても、記憶装置に記憶されているファイルのファイル名を申請の必須情報としているので、著作物の利用許諾の申請を抑制的にすることができる。
【００１８】
また、この発明の他の側面によれば、著作物利用許諾申請用コンピュータプログラムが、クライアント装置の通信ネットワークを介して接続された著作物利用許諾申請用サーバコンピュータを：上記クライアント装置からの検索要求に基づいて著作物情報に対する検索を実行して検索結果を上記クライアント装置に返す検索手段；上記検索結果に応じて選択された著作物に関する利用許諾の申請を上記クライアント装置から受け付ける利用許諾申請受付手段；上記利用許諾に申請に関連して、上記クライアント装置によってアクセス可能な記憶装置に記憶されているファイルのファイル名からなる必須ファイル特定情報を受け付けていない場合、利用許諾の申請を受け付けない制御手段として機能させる。
【００１９】
この構成においても、記憶装置に記憶されているファイルのファイル名を申請の必須情報としているので、著作物の利用許諾の申請を抑制的にすることができる。
【００２０】
また、この発明の他の側面によれば、著作物利用許諾申請装置に：利用許諾申請の対象の著作物を特定する申請対象特定手段と；上記申請対象特定手段によって特定された著作物に関する利用許諾の申請を実行する申請手段と；上記申請に関連して、記憶装置に記憶されているファイルのファイル名からなる必須ファイル特定情報を入力必須ファイル特定情報入力手段と；上記必須ファイル特定情報が特定されていない場合、利用許諾の申請を受け付けない制御手段とを設けるようにしている。
【００２１】
この構成においても、記憶装置に記憶されているファイルのファイル名を申請の必須情報としているので、著作物の利用許諾の申請を抑制的にすることができる。
【００２２】
この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２３】
この発明の上述の側面および他の側面は特許請求の範囲に記載され以下実施例を用いて詳述される。
【発明の効果】
【００２４】
この発明によれば、著作物の利用許諾の申請を抑制的にすることができ、その管理処理の生産性を向上できる。
【図面の簡単な説明】
【００２５】
【図１】この発明の実施例１の著作物利用許諾申請システムを全体として示す図である。
【図２】図１の実施例の論文データベースの例を説明する図である。
【図３】図１の実施例の書籍データベースの例を説明する図である。
【図４】図１の実施例の申請データベースの例を説明する図である。
【図５】図１の実施例の機能ブロック例を説明する図である。
【図６】図１の実施例の全体的な動作例を説明する図である。
【図７】実施例の著作物利用許諾申請システムの検索用のユーザインタフェース例を説明する図である。
【図８】実施例の検索結果の一覧を説明する図である。
【図９】実施例の許諾内容入力画面の例を説明する図である。
【図１０】実施例の見積もり表示例を説明する図である。
【図１１】原理的な構成の実施例２を説明する図である
【発明を実施するための形態】
【００２６】
以下、この発明を著作物利用許諾申請システムに適用した実施例について説明する。
【００２７】
図１は、この実施例の著作物利用許諾申請システム１００を全体として示しており、この図において、著作物利用許諾申請システム１００は、利用許諾管理センタ２００の各種コンピュータシステム（アウトソースサービスを利用しても良い）と、利用者居宅（勤務先の施設も含む）３００の各種コンピュータシステムとから構成されている。図では利用者居宅３００は１つしか示さないけれども通常は複数である。利用許諾管理センタ２００および利用者居宅３００は通信ネットワーク４００により接続されている。利用者は利用者居宅３００から通信ネットワーク４００を介して利用許諾管理センタ２００にアクセスして以下に説明するような情報検索サービスおよび利用許諾申請サービスの提供を受ける。情報検索サービスは典型的にはキーワードや書誌事項の指定に基づいて文書を検索し、必要な場合には論文等の電子コピーまたはハードコピーを提供することであるが、これに限定されない。ここでは、検索に併せて検索結果に基づいて論文等の著作物についての利用許諾申請サービスを行う。この例では利用者居宅３００においてウェブの閲覧ソフトウェアを用いてサービスを提供するけれども、専用のソフトウェアを用いてもよい。
【００２８】
利用許諾管理センタ２００および利用者居宅３００内において示される各種機能ブロックは、コンピュータのハードウェア資源およびソフトウェアが協働して実現される。ソフトウェアは記録媒体２０１、３０１、または通信回線を介して提供されて、対応するコンピュータシステムにインストールされる。
【００２９】
利用者居宅３００にはクライアント端末３０２が設けられ、クライアント端末３０２上でウェブブラウザ３０３が実行される。ウェブブラウザ３０３は、情報の閲覧が可能であるとともに検索結果に基づいて論文等の著作物についての利用許諾申請サービス等を支援する。クライアント端末３０２は典型的にはパーソナルコンピュータであるが、これに限定されない。クライアント端末３０２は通信ネットワーク４００に接続されている。クライアント端末３０２は、典型的にはハードディスク等の補助記憶装置３０４を有し、この補助記憶装置３０４は、アクセス可能である限り、ＬＡＮ等を介して接続された外部記憶装置であっても良い。
【００３０】
利用許諾管理センタ２００は、医療関係の論文、書籍の情報を管理し、また、これら論文、書籍の利用許諾申請を管理し、その利用許諾申請処理のレコードを保持・管理するものである。利用許諾管理センタ２００には、ウェブサーバ２０２、アプリケーションサーバ２０３、データベース管理システム２０４、ルータ２０５等が設けられ、これらが通信ネットワーク（例えばＬＡＮ）２０６に接続されている。ウェブサーバ２０２は、利用者居宅３００のウェブブラウザ３０３との間でデータ通信を行うためのものであり、例えばＰＯＳＴメソッドによりデータの通信を行う。もちろん他の通信ファシリティを用いてもよい。データベース管理システム２０４は、論文データベース２０４ａ、書籍データベース２０４ｂ、申請データベース２０４ｃ等を管理する。アプリケーションサーバ２０３は、ウェブサーバ２０２を介して利用者居宅３００からのサービス要求を受け取って各種サービスを提供する。アプリケーションサーバ２０３は、機能的には、例えば、検索部２０３ａ、出力処理部２０３ｂ、申請受付部２０３ｃ、申請受付制御部２０３ｄ等を実現する。これらアプリケーションサーバ２０３の各種機能部は、データベース管理システム２０４が管理する、論文データベース２０４ａ、書籍データベース２０４ｂ、申請データベース２０４ｃ、インデックス記憶部２０８等を参照して各種のサービスを提供する。アプリケーションサーバ２０３に代えてウェブサーバ２０２のｃｇｉプログラム等を用いてもよい。
【００３１】
データベース管理システム２０４に管理される論文データベース２０４ａは、これに限定されないが、例えば図２に示すようなデータを保持する。図２の例では、論文データベース２０４ａの論文レコードは、論文ＩＤ、学会名、雑誌名（ジャーナル名ともいう）、巻名（号名）、論文タイトル、著者、ＩＳＳＮ（国際標準逐次出版物番号）、保管位置等を含んでいる。この例ではアーカイブ２０７に論文データの実体を保管しており、保管位置はこのアーカイブ２０７における保管位置を示す。論文ＩＤは論文ごとの一意の識別子である。
【００３２】
同じくデータベース管理システム２０４に管理される書籍データベース２０４ｂは、これに限定されないが、図３に示すようなデータを保持する。図３の例では、書籍データベース２０４ｂの書籍レコードは、書籍ＩＤ、書名、著者、出版社、発行日、価格、ＩＳＢＮ（国際標準図書番号）、保管位置等を含んでいる。この例ではアーカイブ２０７に書籍のイメージデータ、テクストデータ等を保管しており、保管位置はこのアーカイブ２０７における保管位置を示す。書籍情報が、書名、著者、出版社、発行日、価格、説明文、イメージ等を含む文書として構成される場合には、この文書自体をアーカイブ２０７に保管してもよい。
【００３３】
同じくデータベース管理システム２０４に管理される申請データベース２０４ｃは、これに限定されないが、図４に示すようなデータを保持する。図４の例では、申請データベース２０４ｃの申請処理レコードは、申請ＩＤ、申請日時、申請者ＩＤ、利用部分、利用目的、利用開始、利用終了、利用数、著者許諾の有無、１または複数のアップロードファイルの保管位置等を含んでいる。この例ではアーカイブ２０７に１または複数のアップロードファイルを保管しており、保管位置はこのアーカイブ２０７における保管位置を示す。アップロードファイルは典型的にはＰＤＦファイルであるがこれに限定されない。
【００３４】
アプリケーションサーバ２０３は、検索部２０３ａ、出力処理部２０３ｂ、申請受付部２０３ｃ、申請受付制御部２０３ｄ等を実現する。検索部２０３ａは、論文データベース２０４ａおよび書籍データベース２０４ｂを用いた検索を行う。また、全文を対象とした検索では、インデックス記憶部２０８に記憶されている検索用インデックスを参照して検索を行う。インデックスは、キーワードごとに情報ＩＤ（例えば論文ＩＤ）、スコア等を保持している。
【００３５】
インデックスは、アーカイブ２０７に含まれている文書を、論文、書籍ごとに取り出してキーワードごとのスコア算出用の情報等を割り当てる。スコア算出用の情報は例えばＴＦ・ＩＤＦ値や更新日である。
【００３６】
検索は項目を指定したものでも、インデックスを用いたものでもよい。
【００３７】
図５は、利用者居宅３００のクライアント端末３０２のウェブブラウザ３０３および利用許諾管理センタ２００のアプリケーションサーバ２０３が実現する機能ブロックの関係を説明するものである。ウェブブラウザ３０３が実現する検索指示部３０３ａ、著作物選択部３０３ｂ、申請部３０３ｃ、必須ファイル特定部３０３ｄ、および処理結果受付部３０３ｅについてはのちに説明する。
【００３８】
この実施例では、図７に示すようなユーザインタフェース５００を用いて利用許諾申請のためのコンテンツ（商品）検索を行う。この例では、コンテンツは、論文および書籍である。図７の例では、キーワードを用いて検索すれけれども、これに替えて、または、これに併せて、雑誌や書籍を、雑誌名、発行元、書籍名、出版社等によって指定しても良い。図７の例では、商品種別指定欄５０１を用いて、商品種別を指定する。この例では、論文、書籍、および両方を指定できる。商品種別に応じてキーワードの対象として指定可能な条件指定項目が変わる。論文の場合には、著者、雑誌名、タイトル、アブストラクト、ＩＳＳＮ（国際標準逐次刊行物番号）を指定でき、書籍の場合には、著者、タイトル、出版社、目次、ＩＳＢＮ（国際標準図書番号）を指定できるけれども、これに限定されない。図７の表示例は、商品種別として論文が指定されている。基本条件指定欄５０２では、対象となる条件指定項目とキーワードを指定する。キーワードはキーワード入力欄５０２ａに入力される。さらに補助条件指定欄５０３で、発行年等から対象範囲を絞り込むことができる。論文の場合には、発行年、巻号、開始ページでキーワード検索の範囲を絞り込むことができ。書籍の場合には発行年で絞り込むことができるけれども、これに限定されない。
【００３９】
アプリケーションサーバ２０３の検索部２０３ａは、検索要求に基づいて検索を行い、アプリケーションサーバ２０３の出力処理部２０３ｂは、検索結果を表示する文書（マークアップ言語）を出力し、クライアント端末３０２のウェブブラウザ３０３がこれを表示する。この文書の表示内容は図８に示すようなものである。図８の例では、表示領域６００に、すべての検索結果を所定のスコアでソートしたヒットレコードの一覧が表示される。各レコードの表示領域６０１には、論文・書籍の種別、タイトル、著者等が表示され、併せて、許諾の態様およびタイミング、見積発行のタイミング等と表示して良いけれども、これに限定されない。利用者は、レコードを１または複数選択して利用許諾申請を行うことができる。例えば、各レコードの表示領域６０１に「申請」ボタン６０２が含まれ、「申請」ボタンを操作して、利用許諾の申請に進むことができる。
【００４０】
図９は、利用許諾の申請を行うためにクライアント端末３０２のウェブブラウザ３０３における表示例であり、図９の表示例では、表示領域７００において、選択した著作物の内容の概要を表示する著作物概要表示欄７０１、利用対象選択表示欄７０２、利用目的選択表示欄７０３、利用数入力表示欄７０４、著者許諾確認表示欄７０５、必須ファイルアップロード操作表示欄７０６、利用期間選択表示欄７０７、見積計算指示ボタン７０８等が含まれるけれども、これに限定されない。
【００４１】
著作物概要表示欄７０１は、著作物の概要を表示するものであり、例えば、論文では、著者、ジャーナル名、タイトル、アブストラクト、ＩＳＳＮ（国際標準逐次刊行物番号）が表示され、書籍では、著者、タイトル、出版社、目次、ＩＳＢＮ（国際標準図書番号）が表示されるけれども、これに限定されない。利用対象部分またはその一部を表示しても良い。
【００４２】
利用対象選択表示欄７０２は、利用対象が一部（要約作成を含む）か全体であるかを選択し、一部である場合には対象部分（例えば図１）を指定するものである。
【００４３】
利用目的選択表示欄７０３は、利用目的を特定するものである。利用目的は、著作物の種別、利用対象の選択に応じて制約されて良い。この例では、「印刷物へ転載」、「プレゼン資料掲載」、「Ｗｅｂ掲載」、「イントラ掲載」、「メール等で配布」が含まれるが、これに限定されない。
【００４４】
利用数入力表示欄７０４は、利用数が必要な場合に入力するものである。「印刷物へ転載」であれば、その印刷物の部数である。
【００４５】
著者許諾確認表示欄７０５は、著者許諾を申請人が取得しているかどうか、または、許諾を依頼するかどうかを指定するものである。
【００４６】
必須ファイルアップロード操作表示欄７０６は、必須ファイルのアプロード操作を行うためのものである。この例では、制作資材見本および／または著者承諾書のファイルが必須ファイルとなっており、これがない場合には、ユーザが申請（見積計算）を指示してもアプリケーションサーバ２０３の申請受付制御部２０３ｄが、申請を受け付けず、ユーザに、再度、申請操作を行うように促すようになっている。図９の例では、ファイル参照ボタン７０６ａを操作して、クライアント端末３０２によってアクセス可能な記憶装置３０４のパスを指定して必須ファイルを選択する。必須ファイルは典型的には例えばＰＤＦファイルであるけれども、これに限定されない。ファイルを選択したのちアップロードボタン７０６ｂを操作してファイルをアプリケーションサーバ２０３側にアップロードする。アプリケーションサーバ２０３はアップロードしたファイルのファイル名も取得する。アップロードしたファイルは削除ボタン７０６ｃを操作して削除可能である。必須ファイルは、申請者が真正なものをアップロードすることを予定しているので、必須ファイルの中身については、申請受付時にはその内容を問題としない。ファイルの参照は、ＩＮＰＵＴタブにｎａｍｅのタイプの属性を付加して実現され、アップロードはＩＮＰＵＴタグにｓｕｂｍｉｔの属性を付加して実現されて良いけれども、これに限定されない。
【００４７】
利用期間選択表示欄７０７は、利用期間を指定するものである。
【００４８】
許諾内容の入力が完了したのち、見積計算ボタン７０８を操作すると、入力フォームの入力データ（パラメータ）がアプリケーションサーバ２０３の申請受付部２０３ｃに送られる。
【００４９】
アプリケーションサーバ２０３の申請受付制御部２０３ｄは、入力フォームを介して、またはアプロードを介して入力されたパラメータをチェックし、エラーがない場合には、見積結果を、クライアント端末３０２のウェブブラウザ３０３に送る。この際、アプリケーションサーバ２０３の申請受付制御部２０３ｄは、必須ファイルのアップロードの有無、アップロードファイル名の重複をチェックし、異なるファイル名のアップロードファイルが少なくとも１つあることを条件として申請受付を行う。見積結果の表示例は、例えば、図１０に示すものであり、こののち、「カートに入れて手続きを進める」と表示されたボタン８０１を操作して申請を完了させる。なお、見積が即時に提供されない場合には、その旨が表示されて、のちに、見積納入時に、メール等を用いて、所定の案内が行われるようになっていても良い。
【００５０】
つぎに、この実施例の典型的な動作例を説明する。
【００５１】
図６は、著作物情報検索を行い、検索結果に基づいて著作物利用許諾申請を行う動作例を示しており、この図において、動作の詳細は以下のとおりである。
【００５２】
［ステップＳ１０］：利用者がウェブブラウザ３０３を用いて検索を要求する。検索要求はウェブブラウザ３０３の検索指示部３０３ａ（図５）が行う。検索画面は例えば図７に示すものである。
［ステップＳ１１］：ウェブサーバ２０２が利用者からの検索要求をアプリケーションサーバ２０３に送る。
［ステップＳ１２］：アプリケーションサーバ２０３の検索部２０３ａが検索要求を受け取って、検索を行って、アプリケーションサーバ２０３の出力処理部２０３ｂが検索結果表示文書をウェブブラウザ３０３に返す。
［ステップＳ１３］：ウェブブラウザ３０３が検索結果表示文書を受け取って表示結果一覧を表示出力する。
［ステップＳ１４］：利用者がウェブブラウザ３０３を用いて検索結果から申請対象を選択し、申請内容を入力する。申請対象の選択はウェブブラウザ３０３の著作物選択部３０３ｂ（図５）が行う。
［ステップＳ１５］：ウェブサーバ２０２（図５の申請ｂの３０３ｃ）が利用者からの申請内容入力をアプリケーションサーバ２０３の申請受付部２０３ｃに送る。
［ステップＳ１６］：ウェブサーバ２０２の申請受付部２０３ｃが申請内容入力を受け取る。
［ステップＳ１７］：ウェブサーバ２０２の申請受付制御部２０３ｄが、申請内容入力のパラメータをチェックしエラーがない場合には、ステップＳ１８に進む。申請受付部２０３ｃおよび出力処理部２０３ｂが見積出力文書を作成して出力する。チェック対象のパラメータには、上述のアップロードされた必須ファイルのファイル名（その有無、重複）が含まれる。パラメータにエラーがある場合には、ステップＳ１４に戻り、申請内容の再入力画面（エラーの指摘を含む）がウェブブラウザ３０３に表示される。
［ステップＳ１８］：  パラメータにエラーがない場合には、申請受付部２０３ｃおよび出力処理部２０３ｂが見積出力文書を作成して出力する。見積出力文書はウェブブラウザ３０３の処理結果受付部３０３ｅに受け取られて見積出力文書を表示する。
【００５３】
つぎに、概略的な構成の実施例２を示す。図１１は、この実施例２の構成を示しており、この図において、著作物利用許諾申請システム１１０は、検索部１１１、著作物選択部１１２、必須ファイル特定部１１３、申請受付制御部１１４、申請受付部１１５等を含んで個性されている。検索部１１１は、著作物データベース２０４ｄ（論文データベース２０４ａ、書籍データベース２０４ｂ）に記憶されている著作物情報に対して検索を実行する。著作物選択部１１２は、検索結果から利用許諾申請の対象の著作物を選択する。必須ファイル特定部１１３は、アクセス可能な記憶装置１１３ａに記憶されているファイルを必須ファイルとして特定する。申請受付制御部１１４は、必須ファイルが特定されていない場合には申請を受け付けないように申請受付部１１５を制御する。申請受付部１１５は、申請を受け付け、申請内容レコードを申請データベース２０４ｃに保持する。
【００５４】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。例えば、著作物情報検索を利用して著作物利用許諾申請を行っているけれども、直接に、著作物を指定できる場合には、そのような検索機能は不要である。
【符号の説明】
【００５５】
１００    著作物利用許諾申請システム
１１０    著作物利用許諾申請システム
１１１    検索部
１１２    著作物選択部
１１３    必須ファイル特定部
１１３ａ    記憶装置
１１４    申請受付制御部
１１５    申請受付部
２００    利用許諾管理センタ
２０１、３０１    記録媒体
２０２    ウェブサーバ
２０３    アプリケーションサーバ
２０３ａ    検索部
２０３ｂ    出力処理部
２０３ｃ    申請受付部
２０３ｄ    申請受付制御部
２０４    データベース管理システム
２０４ａ    論文データベース
２０４ｂ    書籍データベース
２０４ｃ申請データベース
２０４ｄ    著作物データベース
２０５    ルータ
２０７    アーカイブ
２０８    インデックス記憶部
３００    利用者居宅
３０２    クライアント端末
３０３    ウェブブラウザ
３０３ａ    検索指示部
３０３ｂ    著作物選択部
３０３ｃ    申請部
３０３ｄ    必須ファイル特定部
３０３ｅ    処理結果受付部
３０４    補助記憶装置
４００    通信ネットワーク
５００    ユーザインタフェース
５０１    商品種別指定欄
５０２    基本条件指定欄
５０２ａ    キーワード入力欄
５０３    補助条件指定欄
６００    検索結果の一覧の表示領域
６０１    レコード表示領域
６０２    申請ボタン
７０６    必須ファイルアップロード操作表示欄
７０６ａ    ファイル参照ボタン
７０６ｂ    アップロードボタン
７０６ｃ    削除ボタン
７０８    見積計算指示ボタン
【図１】
2019185106.tif 000003
【図２】
2019185106.tif 000004
【図３】
2019185106.tif 000005
【図４】
2019185106.tif 000006
【図５】
2019185106.tif 000007
【図６】
2019185106.tif 000008
【図７】
2019185106.tif 000009
【図８】
2019185106.tif 000010
【図９】
2019185106.tif 000011
【図１０】
2019185106.tif 000012
【図１１】
2019185106.tif 000013
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
ユーザからの検索要求に基づいて、著作物データベースに記憶されている著作物情報に対して検索を実行する著作物情報検索手段と、
上記ユーザからの選択要求に基づいて、検索結果から利用許諾申請の対象の著作物を選択する申請対象選択手段と、
上記ユーザからの申請要求に基づいて、上記申請対象選択手段によって選択された著作物に関する利用許諾の申請を実行する申請手段と、
上記申請に関連して、上記ユーザが、当該ユーザがアクセス可能な記憶装置に記憶されているファイルのファイル名を参照したことに基づいて当該ファイル名からなるファイル特定情報を入力するファイル特定情報入力手段と、
上記ファイル特定情報が入力されていない場合、利用許諾の申請を受け付けない制御手段とを有することを特徴とする著作物利用許諾申請装置。
【請求項２】
上記ファイル特定情報は、選択された著作物の利用に関する著者許諾を表示するファイルのファイル名および／または選択された著作物の利用態様を表示するファイルのファイル名である請求項１記載の著作物利用許諾申請装置。
【請求項３】
上記ファイル特定情報入力手段は、ＩＮＰＵＴタブにｎａｍｅのタイプの属性を付加して実現される請求項１または２記載の著作物利用許諾申請装置。
【請求項４】
クライアント装置の通信ネットワークを介して接続された著作物利用許諾申請用サーバ装置において、
上記クライアント装置からの検索要求に基づいて著作物情報に対する検索を実行して検索結果を上記クライアント装置に返す検索手段と、
上記検索結果に応じて選択された著作物に関する利用許諾の申請を上記クライアント装置から受け付ける利用許諾申請受付手段と、
上記利用許諾の申請に関連して、上記クライアント装置がアクセス可能な記憶装置に記憶されているファイルのファイル名を参照してことに基づいて当該ファイル名から成るファイル特定情報を入力するファイル特定情報入力手段と、
上記ファイル特定情報が入力されていない場合、利用許諾の申請を受け付けない制御手段とを有することを特徴とする著作物利用許諾申請用サーバ装置。
【請求項５】
クライアント装置の通信ネットワークを介して接続された著作物利用許諾申請用サーバ装置において実行される著作物利用許諾申請管理方法において、
検索手段が、上記クライアント装置からの検索要求に基づいて著作物情報に対する検索を実行して検索結果を上記クライアント装置に返す検索ステップと、
利用許諾申請受付手段が、上記検索結果に応じて選択された著作物に関する利用許諾の申請を上記クライアント装置から受け付ける利用許諾申請受付ステップと、
ファイル特定情報入力手段が、上記利用許諾の申請に関連して、上記クライアント装置がアクセス可能な記憶装置に記憶されているファイルのファイル名を参照してことに基づいて当該ファイル名から成るファイル特定情報を入力するステップと、
制御手段が、上記ファイル特定情報が入力されていない場合、利用許諾の申請を受け付けない制御ステップとを有することを特徴とする著作物利用許諾申請管理方法。
【請求項６】
クライアント装置の通信ネットワークを介して接続された著作物利用許諾申請用サーバコンピュータを、
上記クライアント装置からの検索要求に基づいて著作物情報に対する検索を実行して検索結果を上記クライアント装置に返す検索手段、
上記検索結果に応じて選択された著作物に関する利用許諾の申請を上記クライアント装置から受け付ける利用許諾申請受付手段、
上記利用許諾の申請に関連して、上記クライアント装置がアクセス可能な記憶装置に記憶されているファイルのファイル名を参照してことに基づいて当該ファイル名から成るファイル特定情報を入力するファイル特定情報入力手段、
上記ファイル特定情報が入力されていない場合、利用許諾の申請を受け付けない制御手段
として機能させるための著作物利用許諾申請用コンピュータプログラム。
【請求項７】
ユーザからの特定要求に基づいて、利用許諾申請の対象の著作物を特定する申請対象特定手段と、
上記ユーザからの申請要求に基づいて、上記申請対象特定手段によって特定された著作物に関する利用許諾の申請を実行する申請手段と、
上記申請に関連して、上記ユーザが、当該ユーザがアクセス可能な記憶装置に記憶されているファイルのファイル名を参照したことに基づいて当該ファイル名からなるファイル特定情報を入力するファイル特定情報入力手段と、
上記ファイル特定情報が入力されていない場合、利用許諾の申請を受け付けない制御手段とを有することを特徴とする著作物利用許諾申請装置。